(57)【特許請求の範囲】
【請求項１】
エレベーターかごと、内部に前記エレベーターかごが配置される昇降路と、前記昇降路内で前記エレベーターかごを昇降させる油圧ジャッキと、前記油圧ジャッキを制御する機能を有する制御装置と、を備え、
前記油圧ジャッキは、前記昇降路内の設置面に固定される固定ロッドと、前記固定ロッドから出入り自在な可動ロッドと、を有し、
前記制御装置は、前記エレベーターかご上に設置される第１制御部と、前記昇降路内に設置される第２制御部と、前記第１制御部と前記第２制御部とを電気的に接続するケーブルと、を有し、
前記ケーブルは、前記第１制御部から延び前記エレベーターかご上から垂れる垂れ部と、前記垂れ部の下端部分から上昇する上昇部と、を有し、
前記可動ロッドには、前記垂れ部に対向する前記エレベーターかごの側面への前記垂れ部の移動を規制する規制部が取り付けられ、
前記可動ロッドは、下段の第１可動ロッドおよび上段の第２可動ロッドを有し、
前記第２可動ロッドは、前記第１可動ロッドに対する伸縮量が前記固定ロッドに対する前記第１可動ロッドの伸縮量と同じになるように伸縮し、
前記規制部は、前記第１可動ロッドの上端部分に取り付けられることを特徴とするエレベーター装置。
【請求項２】
前記規制部には、前記昇降路の底部から上方に向けて延出されるガイドレールにスライド自在にガイドされるガイド部が設けられることを特徴とする請求項１に記載のエレベーター装置。
【請求項３】
エレベーターかごと、内部に前記エレベーターかごが配置される昇降路と、前記昇降路内で前記エレベーターかごを昇降させる油圧ジャッキと、前記油圧ジャッキを制御する機能を有する制御装置と、を備え、
前記油圧ジャッキは、前記昇降路内の設置面に固定される固定ロッドと、前記固定ロッドから出入り自在な可動ロッドと、を有し、
前記制御装置は、前記エレベーターかご上に設置される第１制御部と、前記昇降路内に設置される第２制御部と、前記第１制御部と前記第２制御部とを電気的に接続するケーブルと、を有し、
前記ケーブルは、前記第１制御部から延び前記エレベーターかご上から垂れる垂れ部と、前記垂れ部の下端部分から上昇する上昇部と、を有し、
前記可動ロッドには、前記垂れ部に対向する前記エレベーターかごの側面への前記垂れ部の移動を規制する規制部が取り付けられ、
前記規制部には、前記昇降路の底部から上方に向けて延出されるガイドレールにスライド自在にガイドされるガイド部が設けられることを特徴とするエレベーター装置。
【発明の詳細な説明】
【技術分野】
【０００１】
本発明は、エレベーター装置に関する。
【背景技術】
【０００２】
従来、油圧ジャッキによりエレベーターかごが昇降路内を昇降するエレベーター装置が知られている（例えば特許文献参照）。
【０００３】
エレベーター装置は、エレベーターかご上に載置される第１制御部と、昇降路に設けられ、油圧ジャッキを制御する第２制御部と、第１制御部と第２制御部とを電気的に接続するケーブルと、を備える。
【先行技術文献】
【特許文献】
【０００４】
【特許文献１】特開平８−１８８３５６号公報
【発明の概要】
【発明が解決しようとする課題】
【０００５】
特許文献１に記載のエレベーター装置では、エレベーターかごの上縁から垂れたケーブルの垂れ部が、エレベーターかごが昇降する際、エレベーターかごの側面に当たってしまい、異音を発生させてしまい易かった。
【０００６】
上記従来の問題点に鑑みて発明された本発明の目的は、異音の発生を抑制できる、エレベーター装置を提供することである。
【課題を解決するための手段】
【０００７】
上記目的を達成するために、本発明に係るエレベーター装置は、以下のような構成を備える。
【０００８】
エレベーター装置は、エレベーターかごと、内部に前記エレベーターかごが配置される昇降路と、前記昇降路内で前記エレベーターかごを昇降させる油圧ジャッキと、前記油圧ジャッキを制御する機能を有する制御装置と、を備え、前記油圧ジャッキは、前記昇降路内の設置面に固定される固定ロッドと、前記固定ロッドから出入り自在な可動ロッドと、を有し、前記制御装置は、前記エレベーターかご上に設置される第１制御部と、前記昇降路内に設置される第２制御部と、前記第１制御部と前記第２制御部とを電気的に接続するケーブルと、を有し、前記ケーブルは、前記第１制御部から延び前記エレベーターかご上から垂れる垂れ部と、前記垂れ部の下端部分から上昇する上昇部と、を有し、前記可動ロッドには、前記垂れ部に対向する前記エレベーターかごの側面への前記垂れ部の移動を規制する規制部が取り付けられることを特徴とする。
【発明の効果】
【０００９】
本発明のエレベーター装置では、ケーブルの垂れ部が垂れ部に対向するエレベーターかごの側面に接触し難くなり、エレベーターかご内に異音が発生し難くなる。
【図面の簡単な説明】
【００１０】
【図１】図１は本発明の第１実施形態に係るエレベーター装置の斜視図である。
【図２】図２は本発明の第１実施形態に係るエレベーター装置の平面図である。
【図３】図３はエレベーターかごの斜視図である。
【図４】図４Ａは規制部の斜視図である。図４Ｂは規制部の別態様の斜視図である。
【図５】図５は本発明の第２実施形態に係るエレベーター装置の斜視図である。
【図６】図６はケーブルの折り返し位置付近の拡大図である。
【図７】図７は変形例のエレベーター装置における油圧ジャッキの概略図である。
【発明を実施するための形態】
【００１１】
以下に示す本発明の一実施形態は、特に、エレベーターかご上に制御部が配置されたエレベーター装置に関する。
【００１２】
＜第１実施形態＞
以下、本発明の第１実施形態のエレベーター装置１について添付した図１〜図４に基づいて説明する。
【００１３】
（構成の説明）
エレベーター装置１は、図１，図２に示すように、昇降路１１と、エレベーターかご２と、油圧式の駆動装置１２と、を備える。
【００１４】
昇降路１１は、建物やエレベーター用建屋内に上下複数階にわたって連通するように形成される。昇降路１１の内部は、図２に示すように、上方から視て略矩形状をした内部空間１１２であり、この内部空間１１２をエレベーターかご２が昇降する。
【００１５】
昇降路１１の側壁には、図１に示すように、建物の階に対応する位置に建物側の開口部１３が形成され、この建物側の開口部１３の外側に乗り場９０が設けられる。ここで、エレベーターかご２から乗場に向かう方向を前方Ｆ、その反対方向を後方Ｂとする。また、乗り場９０から建物側の開口部１３を視たときを基準として、右方Ｒおよび左方Ｌを定義する。
【００１６】
建物側の開口部１３には、左右に移動自在となるように建物側の扉１３１が取り付けられる。
【００１７】
昇降路１１の底部には、図１，図２に示すように、一対の支柱１４が固定される。特に、一対の支柱１４は、それぞれが昇降路１１の底面１１１に固定され、底面１１１から上方に向けて延出される。本実施形態では、一対の支柱１４の対向する方向は前後方向となっている。このように、一対の支柱１４は、前後方向に間隔を空けて並んでいる。支柱１４は、上下方向に長く延び、昇降路１１の上下方向の全長に亘って延出されることが好ましい。本実施形態では、一対の支柱１４のうち前側の支柱１４を第１支柱１４１とし、後側の支柱１４を第２支柱１４２とする。
【００１８】
支柱１４には、それぞれにガイドレール１５が取り付けられる。ガイドレール１５は、支柱１４の上下方向の全長にわたって設けられることが好ましい。ガイドレール１５は、第１支柱１４１の後面に取り付けられる第１ガイドレール１５１と、第２支柱１４２の前面に取り付けられる第２ガイドレール１５２と、を有する。
【００１９】
第１ガイドレール１５１は、図２に示すように、上方から視てＴ字状となっている。第１ガイドレール１５１は、第１支柱１４１に固定される固定体１５１ａと、固定体１５１ａから後方に突出する突条１５１ｂと、を有する。第２ガイドレール１５２も第１ガイドレール１５１と同様に、上方から視てＴ字状となっている。第２ガイドレール１５２は、第２支柱１４２に固定される固定体１５２ａと、固定体１５２ａから後方に突出する突条１５２ｂと、を有する。
【００２０】
エレベーターかご２は、図１に示すように、プラットホーム２１と、プラットホーム２１に支持されるかご部２２と、を有する。
【００２１】
プラットホーム２１は、前方から視てＬ字状となっている。プラットホーム２１は、一対のガイドレール１５間に架設される側枠２１１と、側枠２１１の下端部から略水平方向に突出する下枠２１２と、を有する。側枠２１１は、ガイドレール１５に対して上下にスライド自在となっており、また、下枠２１２には、かご部２２が載置されて固定される。
【００２２】
かご部２２は、形状が箱状となっている。かご部２２は、内部に人荷を載せるため内部空間２２１を有する。かご部２２には、建物側の開口部１３と内部空間２２１とを連通させる出入り口２２２が、前面に形成される。出入口には、開閉扉２３が設けられる。
【００２３】
駆動装置１２は、エレベーターかご２を昇降駆動させる。駆動装置１２は、油圧ユニット１２１と、油圧ジャッキ１２２と、を有する。
【００２４】
油圧ユニット１２１は、油が貯留されたタンクからモーターにより駆動されるポンプで油を油圧ジャッキ１２２に搬送するものである。油圧ユニット１２１は、図２に示すように、一対のガイドレール１５の間に設置される油圧ジャッキ１２２の側方（本実施形態では左方）に配置される。
【００２５】
油圧ジャッキ１２２は、図１に示すように、複数段の筒状のロッド３（シリンダ）を有する。油圧ジャッキ１２２は、それぞれのロッド３がそのすぐ外側のロッド３に対して突没することで、上下に伸縮自在となっている。また、油圧ジャッキ１２２では、最上段のロッド３の上端部が、エレベーターかご２のプラットホーム２１の側枠２１１の上部（好ましくは上端部）に固定される。
【００２６】
油圧ジャッキ１２２は、固定ロッド３１と、可動ロッド３２と、を有する。
【００２７】
固定ロッド３１は、昇降路１１の設置面１１３（本実施形態では底面１１１）に固定される最下段のロッド３である。固定ロッド３１は、上蓋３１１および底部を有する上下に長い筒状に形成される。上蓋３１１の上面には、固定ロッド３１の上下方向に直交する断面形状と略同形状をした可動ロッド３２が、内部空間から延出するための開口が形成される。
【００２８】
可動ロッド３２は、外径が固定ロッド３１の内径よりも小さい。可動ロッド３２は、固定ロッド３１に対して昇降自在となっている。可動ロッド３２の上端部は、プラットホーム２１に固定される。
【００２９】
なお、可動ロッド３２は１本となっているが、可動ロッド３２は上下で２段またはそれ以上に分割した複数の段のものであってもよい。
【００３０】
エレベーター装置１は、駆動装置１２を制御する制御装置４を備える。制御装置４は、図１に示すように、エレベーターかご２上に設置される第１制御部４１と、昇降路１１内に設置される第２制御部４２と、第１制御部４１と第２制御部４２とを電気的に接続するケーブル５（図３参照）と、を有する。
【００３１】
第１制御部４１は、開閉扉２３を動かすための駆動部に電気的に接続されており、エレベーターかご２が所定の階に到着すると開閉扉２３を開放させ、また、エレベーターかご２の昇降動作中には、開閉扉２３を閉塞状態に保つように駆動部を制御する。第１制御部４１は、コントロールボックス、コントロールボックス内に収容されるマイクロコンピュータ、メモリなどを備える。
【００３２】
第２制御部４２は、モーターの回転速度を変化させてポンプによる油の供給量を調整し、エレベーターかご２の昇降速度を制御する。第２制御部４２は、コントロールボックス、コントロールボックス内に収容されるマイクロコンピュータ、メモリなどを備える。
【００３３】
ケーブル５は、市場に一般に流通しているエレベーター用のケーブル５が用いられ、特に、移動ケーブル、トラベリングケーブル、テールコードであることが好ましい。ケーブル５は、図３に示すように、エレベーターかご２の油圧ジャッキ１２２と対向する側面（左面）の側方（左方向）に折り返し部５１が形成される。折り返し部５１は、第１制御部４１から延びエレベーターかご２の上面の縁（左縁）から下方に垂れ下がる垂れ部５１１と、垂れ部５１１の下端部から上昇する上昇部５１２と、を有する。
【００３４】
垂れ部５１１は、図３に示すように、エレベーターかご２の左側面と対向する。垂れ部５１１の下端部は、エレベーターかご２の上端位置から下端位置に対応する範囲に配置されることが好ましい。上昇部５１２は、図示はしないが、垂れ部５１１の下端部から昇降路１１の上端部付近まで上昇する。また、ケーブル５は、上昇部５１２の上端部から下降し下端部が第２制御部４２に接続される下降部を有する。
【００３５】
本実施形態の可動ロッド３２の上端部分には、図３に示すように、規制部６が取り付けられる。規制部６は、垂れ部５１１が接触する部分を有することで、垂れ部５１１のエレベーターかご２の左面に向かう移動を規制する。規制部６は、金属板を加工することで形成されるが、合成樹脂で形成されてもよい。
【００３６】
規制部６は、図４Ａに示すように、本体部７と、本体部７に固定されるガイド部８と、を有する。本体部７は、固定片７１および規制体７２を有する。
【００３７】
固定片７１は、左方から視て略矩形状となっているが、その形状は限定されない。固定片７１の左右方向の中央部分には、釘やネジ等の固定具が挿入される孔が形成される。固定片７１は、図２に示すように、可動ロッド３２の上蓋に固定具により固定される。
【００３８】
規制体７２は、図４Ａに示すように、固定片７１の下端部に設けられる基部７２１と、基部７２１の固定片７１とは反対側に設けられる接触片７２２と、を有する。基部７２１は、上方から視てＵ字状となっている。基部７２１は、右方に突出する突出部７２１ａを基部７２１の前端部と後端部のそれぞれに有する。
【００３９】
接触片７２２は、ケーブル５の垂れ部５１１と接触する位置に配置される。本実施形態の接触片７２２は、基部７２１の左縁における中央部分よりも後側に形成される。接触片７２２は、前方から視てＬ字状となっている。接触片７２２は、固定片７１側とは反対側に延びる延出部７２２ａと、延出部７２２ａの先端から下方に突出する垂下部７２２ｂと、を有する。
【００４０】
基部７２１には、図２，図４に示すように、ガイドレール１５がスライド自在に挿入されるガイド部８が固定される。本実施形態の規制部６では、基部７２１の前端部の突出部７２１ａに固定されるガイド部８を第１ガイド部８１とし、基部７２１の後端部の突出部７２１ａに固定されるガイド部８を第２ガイド部８２とする。
【００４１】
第１ガイド部８１は、支持部８１１と、支持部８１１に固定されるスライダー部８１２と、を有する。支持部８１１では、左端部が基部７２１に固定され、右端部の上面にスライダー部８１２が固定される。スライダー部８１２には、第１ガイドレール１５１が挿入されるスリット８１３が形成される。
【００４２】
第２ガイド部８２は、支持部８２１と、支持部８２１に固定されるスライダー部８２２と、を有する。支持部８２１では、左端部が基部７２１に固定され、右端部の上面にスライダー部８２２が固定される。スライダー部８２２には、第２ガイドレール１５２が挿入されるスリット８２３が形成される。
【００４３】
規制部６は、図４Ｂに示すような態様であってもよい。規制部６では、基部７２１の左縁における中央部分よりも後側に突出片７３が形成される。突出片７３は、基部７２１から左方に突出する。突出片７３には、ケーブル５の垂れ部５１１が挿通する挿通孔７３１が形成される。挿通孔７３１は、基部７２１を上下方向に貫通する。また、挿通孔７３１の上方から視た形状が、ケーブル５の断面形状と同じであることが好ましい。ここで、ケーブル５は、左右の移動が挿通孔７３１の左右の側壁によって規制され、前後の移動が前後の側壁によって規制される。
【００４４】
本実施形態のエレベーター装置１の構成は、上記した一態様に限定されず、以下に示す態様であってもよい。
【００４５】
規制部６では、接触片７２２や突出片７３を設けず、基部７２１の縁にケーブル５を接触させてもよい。また、挿通孔７３１は基部７２１に形成してもよい。規制部６では、基部７２１が上方から視てＵ字状となっているが、その形状は限定されない。また、基部７２１には、突出部７２１ａが設けられなくてもよい。
【００４６】
固定片７１には、固定具が挿入される孔が２個形成されているが、その数は１個でも２個以上でもよい。
【００４７】
接触片７２２は、前方から視てＬ字状となっているが、その形状は限定されない。
【００４８】
規制部６では、本体部７とガイド部８とが一体に形成されてもよく、また、ガイド部８がガイドレール１５にスライド自在に挿入されてもよい。
【００４９】
建物は、戸建用でなく、共同住宅用や、低層の所謂オフィスビルやその他雑居ビルなどであってもよい。
【００５０】
支柱１４の形状は、平板状となっているが、角柱、Ｈ型などといった形状となってもよい。ガイドレール１５は一対ではなく、任意の本数設けられてもよい。支柱１４とガイドレール１５とは、一体に形成されてもよい。
【００５１】
設置面１１３は、昇降路１１の底面１１１におけるエレベーターかご２の側方の領域でもよいし、昇降路１１の底面１１１におけるエレベーターかご２の下方の領域でもよい。また、エレベーターかご２を昇降させることができるのであれば、昇降路１１の側面の下端部の領域でもよい。
【００５２】
第１制御部４１は、開閉扉２３を動かすための駆動部の制御する機能だけでなく、エレベーターかご２内の他の電子機器を制御する機能を有していてもよい。
【００５３】
（効果）
本実施形態のエレベーター装置１では、エレベーターかご２が昇降する際、ケーブル５が揺れたとしても、エレベーターかご２の垂れ部５１１に対向する側面への垂れ部５１１の移動が規制部６により規制される。これにより、垂れ部５１１が側面に接触することで発生する異音が抑制され、異音によりエレベーター装置１の利用者が不安感を抱くことを減らすことができる。
【００５４】
また、エレベーター装置１では、規制部６がガイドレール１５にスライド自在に嵌め合うガイド部８を有することで、エレベーターかご２の昇降により規制部６が前後左右に移動し難くなる。これにより、垂れ部５１１の前後左右移動をより抑制できる。
【００５５】
また、エレベーター装置１では、規制部６に形成された挿通孔７３１にケーブル５を通すことで、垂れ部５１１の前後左右の移動を規制できる。これにより、ケーブル５が対向するエレベーターかご２の側面だけでなく、他の機器に干渉することを防止できる。
【００５６】
また、規制部６では、接触片７２２の角に丸みをつけることで、ケーブル５に与える負荷を軽減している。
【００５７】
以上説明したように、本実施形態のエレベーター装置１は以下に示す構成を備える。
【００５８】
本実施形態のエレベーター装置１は、次の第１の特徴を備える。第１の特徴では、エレベーター装置１は、エレベーターかご２と、内部にエレベーターかご２が配置される昇降路１１と、を備える。エレベーター装置１は、昇降路１１内でエレベーターかご２を昇降させる油圧ジャッキ１２２と、油圧ジャッキ１２２を制御する機能を有する制御装置４と、を備える。
【００５９】
油圧ジャッキ１２２は、昇降路１１内の設置面１１３に固定される固定ロッド３１と、固定ロッド３１から出入り自在な可動ロッド３２と、を有する。
【００６０】
制御装置４は、エレベーターかご２上に設置される第１制御部４１と、昇降路１１内に設置される第２制御部４２と、第１制御部４１と第２制御部４２とを電気的に接続するケーブル５と、を有する。
【００６１】
ケーブル５は、第１制御部４１から延びエレベーターかご２上から垂れる垂れ部５１１と、垂れ部５１１の下端部分から上昇する上昇部５１２と、を有する。
【００６２】
可動ロッド３２には、垂れ部５１１に対向するエレベーターかご２の側面への垂れ部５１１の移動を規制する規制部６が取り付けられる。
【００６３】
第１の特徴を有するエレベーター装置１では、垂れ部５１１に対向するエレベーターかご２の側面へのケーブル５の移動が規制部６により規制される。
【００６４】
第１の特徴を有するエレベーター装置１は、以下の付加的な第２の特徴を有する。第２の特徴では、規制部６には、昇降路１１の底部から上方に向けて延出されるガイドレール１５にスライド自在にガイドされるガイド部８が設けられる。
【００６５】
第２の特徴を有するエレベーター装置１では、ガイド部８とガイドレール１５により、エレベーターかご２が昇降する際、規制部６が前後左右にブレ難くなる。
【００６６】
＜第２実施形態＞
以下、本発明の第２実施形態のエレベーター装置１を添付した図５〜図７に基づいて説明する。なお、本実施形態において、第１実施形態に対応する構成については第１実施形態の構成と同じ符号を付し、第１実施形態と異なる構成については新たに符号を付す。本実施形態のエレベーター装置１は、特に、規制部６が取り付けられる位置に関する。
【００６７】
（構成の説明）
可動ロッド３２は、図５，図７に示すように、第１可動ロッド３３と、第２可動ロッド３４と、を有する。
【００６８】
固定ロッド３１の上蓋３１１の上面には、固定ロッド３１の上下方向に直交する断面形状と略同形状をした下段の可動ロッド３２である第１可動ロッド３３が、内部空間３１２から延出するための開口が形成される。
【００６９】
第１可動ロッド３３は、外径が固定ロッド３１の内径よりも小さい。第１可動ロッド３３は、固定ロッド３１に対して昇降自在となっている。第１可動ロッド３３は、上蓋３３１および底部３３４を有する上下に長い筒状に形成される。上蓋３３１の上面には、第１可動ロッド３３の上下方向に直交する断面形状と略同形状をした第２可動ロッド３４が、内部空間３３２から延出するための開口が形成される。
【００７０】
第２可動ロッド３４は、外径が第１可動ロッド３３の内径よりも小さい。第２可動ロッド３４は、第１可動ロッド３３に対して昇降自在となっている。第２可動ロッド３４は、上蓋３４１および底部３４４を有する上下に長い筒状に形成される。第２可動ロッド３４の内部には、内部空間３４２が形成される。第２可動ロッド３４の上端部は、プラットホーム２１に固定される。
【００７１】
第１可動ロッド３３と第２可動ロッド３４とは、上下方向の長さが同じであることが好ましい。
【００７２】
エレベーター装置１では、図６に示すように、規制部６が第１可動ロッド３３の上端部に取り付けられる。すなわち、規制部６の固定片７１は、第１可動ロッド３３の上蓋３３１に取り付けられる。
【００７３】
制御装置４では、第１制御部４１が開閉扉２３を閉状態とした信号、エレベーターかご２の昇降速度を検知した検知部の信号に基づいて、第２制御部４２がモーターの回転速度を所定の速度とするフィードバック制御を行う。
【００７４】
固定ロッド３１には、図７に示すように、油が内部空間３１２に流出入するための油ポート３１３が形成される。また、第１可動ロッド３３には、油が内部空間３３２に流出入するための油ポート３３３が形成される。
【００７５】
エレベーター装置１では、固定ロッド３１の内部空間３１２に流出入する油が第１可動ロッド３３の底部３３４を上昇または下降させることで、第１可動ロッド３３が伸縮する。また、油ポート３３３を介して第１可動ロッド３３の内部空間３３２に流出入する固定ロッド３１内の油が、第２可動ロッド３４の底部３４４を上昇または下降させることで、第２可動ロッド３４が伸縮する。このように、第２制御部４２が固定ロッド３１内に流出入させる油により、第１可動ロッド３３と第２可動ロッド３４が連動して伸縮し、エレベーターかご２を昇降させる。
【００７６】
本実施形態のエレベーター装置１では、第２可動ロッド３４が、固定ロッド３１に対する第１可動ロッド３３の伸縮量だけ第１可動ロッド３３に対して伸縮する。すなわち、第１可動ロッド３３の固定ロッド３１に対する伸縮量と第２可動ロッド３４の第１可動ロッド３３に対する伸縮量を同じにする。このとき、固定ロッド３１の容積、第１可動ロッド３３の容積および油ポート３３３の大きさが、適切な量および大きさに設計されている。
【００７７】
ここで、エレベーター装置１では、図６に示すように、油圧ジャッキ１２２の可動ロッド３２の伸縮により、第１可動ロッド３３に取り付けられた規制部６が上下方向に移動する。さらに、エレベーター装置１では、エレベーターかご２の昇降により、ケーブル５の垂れ部５１１の下端部が上下方向に移動する。このようなエレベーターかご２が昇降している状態において、規制部６の最も下方に位置する部分（本実施形態では垂下部７２２ｂの下端）とケーブル５の垂れ部５１１の下端部との間隔を相対距離Ｌとする。
【００７８】
第１可動ロッド３３の移動量は、エレベーターかご２の移動量を１とすると、第１可動ロッド３３と第２可動ロッド３４とが同じ伸縮量であることから０．５となる。また、垂れ部５１１の下端部の移動量は、エレベーターかご２の移動量を１とすると、ケーブル５における折り返し部５１の下端であることから０．５となる。そのため相対距離Ｌは、エレベーターかご２が昇降したとしても変わらず一定となっている。
【００７９】
本実施形態のエレベーター装置１の構成は、上記した一態様に限定されず、以下に示す態様であってもよい。
【００８０】
エレベーター装置１では、油圧ジャッキ１２２の内部の構造は上記したような構造に限定されない。例えば、油圧ジャッキ１２２は、第１可動ロッド３３と第２可動ロッド３４のそれぞれの伸縮量を独立して第２制御部４２で制御できるようにするため、油圧ユニット１２１からの油を流出入させる構成であってもよい。
【００８１】
（効果）
本実施形態のエレベーター装置１では、規制部６の最も下方に位置する部分とケーブル５の垂れ部５１１の下端部との相対距離Ｌが一定となる。これにより、規制部６によるケーブル５の移動をより規制し易くなる。さらに、エレベーターかご２が上端位置または下端位置にきても、ケーブル５の形状が内部に過大な負荷がかかる状態になり難い。
【００８２】
第１の特徴および第２の特徴を有する第３の特徴を備える。第３の特徴では、可動ロッド３２は、下段の第１可動ロッド３３および上段の第２可動ロッド３４を有する。
【００８３】
第２可動ロッド３４は、第１可動ロッド３３に対する伸縮量が固定ロッド３１に対する第１可動ロッド３３の伸縮量と同じになるように伸縮する。
【００８４】
規制部６は、第１可動ロッド３３の上端部分に取り付けられる。
【００８５】
第３の特徴を有するエレベーター装置１では、エレベーターかご２の昇降に伴い、第１可動ロッド３３の上端部と垂れ部５１１の下端部の相対距離Ｌが一定となる。
【符号の説明】
【００８６】
１        エレベーター装置
１１      昇降路
１２２    油圧ジャッキ
１５      ガイドレール
２        エレベーターかご
３１      固定ロッド
３２      可動ロッド
４        制御装置
４１      第１制御部
４２      第２制御部
５        ケーブル
５１１    垂れ部
５１２    上昇部
６        規制部
【図１】
0006630178.tif 000002
【図２】
0006630178.tif 000003
【図３】
0006630178.tif 000004
【図４】
0006630178.tif 000005
【図５】
0006630178.tif 000006
【図６】
0006630178.tif 000007
【図７】
0006630178.tif 000008